(57)【要約】      （修正有）【課題】水災害時の緊急排水などに好適な排水ポンプ車において、排水作業終了後に使用された排水ホースを巻き取るホース巻取り装置を提供する。【解決手段】排水ホース幅長さの小径の円筒体の車軸１と、該車軸１の両端に接続された車軸１より大径の円板体の間接板２と、間接板２が回転可能に嵌合する円形凹部を形成した円盤基部３と、円盤基部３の外周縁から略等間隔に多数放射状に延びる案内ガイド棒４と、案内ガイド棒４の先端部を相互連結した案内ガイド棒４と同径太さの円環状の外輪５と、外輪５の外方で車軸１に固定された外輪５より小径の円環状の増締ハンドル６とから構成される。【選択図】図１
0003106721.tif 000002
【実用新案登録請求の範囲】
【請求項１】
排水ホース幅長さの小径の円筒体の車軸と、該車軸の両端に接続された前記車軸より大径の円板体の間接板と、該間接板が回転可能に嵌合する円形凹部を形成した円盤基部と、該円盤基部の外周縁から略等間隔に多数放射状に延びる案内ガイド棒と、該案内ガイド棒の先端部を相互連結した前記案内ガイド棒と同径太さの円環状の外輪と、該外輪の外方で前記車軸に固定された前記外輪より小径の円環状の増締ハンドルとからなり、前記間接板の円周面に同心円状に一列等間隔で嵌合孔を多数設けると共に、前記円盤基部の円形凹部の外側面には、前記間接板の円周面に同心状に一列等間隔で多数設けた嵌合孔と一致する位置にラッチノブを設け、該ラッチノブはラッチ円筒体に内蔵された圧縮バネと前記ラッチ円筒体に嵌合するキャップの裏面に固定されたピンとからなり、前記ピンを前記圧縮バネの中央を貫通させ、常に前記ピンを外側方向へ弾機させてなることを特徴とするホース巻取り装置。
【請求項２】
前記車軸は、引出し側端部の径を小径として全体として緩やかな傾斜をなした円筒体となしたことを特徴とする請求項１記載のホース巻取り装置。
【考案の詳細な説明】
【技術分野】
【０００１】
本考案は、水災害時の緊急排水などに好適な排水ポンプ車において、排水作業終了後に使用された排水ホースを巻き取るホース巻取り装置に関する。
【背景技術】
【０００２】
従来、水災害時の緊急排水などに排水ポンプ車が利用されている。
この排水ポンプ車は、排水ポンプ車に水中ポンプを積載し、この水中ポンプに組み込まれている水中モーターに電力を供給する発電装置と、この発電装置と水中モーターの間に介設される操作盤とを搭載し、水中ポンプの吐出側に接続する排水ホースと、発電装置と操作盤及び該操作盤と水中モーターとをキヤブタイヤケーブルで電気的に接続し、水中ポンプの吐出側に排水ホースを接続した後、排水ポンプ車に搭載しているクレーンなどの揚重機によって水中ポンプを水中の所定位置に投入し、発電装置の起動により水中モーターに電力を供給して、水中ポンプを運転することによって排水を行っている（特許文献１を参照）。
しかし、今まで排水作業終了後の排水ホースの巻き取りを行うホース巻取り装置がなく、人手で折り畳むか直接手で巻くような方法で行っていた。
なお、すでに消防ホースの如く小径ホースの巻取り装置は公知となっている（特許文献２を参照）。
【０００３】
【特許文献１】特開２０００−１０８７７１号公報
【特許文献２】特開２００３−１９２２４０号公報
【考案の開示】
【考案が解決しようとする課題】
【０００４】
本考案は、水災害時の緊急排水などに好適な排水ポンプ車において、排水作業終了後に使用された排水ホースを巻き取るホース巻取り装置を提供するものである。
【課題を解決するための手段】
【０００５】
本考案のホース巻取り装置は、排水ホース幅長さの小径の円筒体の車軸と、該車軸の両端に接続された前記車軸より大径の円板体の間接板と、該間接板が回転可能に嵌合する円形凹部を形成した円盤基部と、該円盤基部の外周縁から略等間隔に多数放射状に延びる案内ガイド棒と、該案内ガイド棒の先端部を相互連結した前記案内ガイド棒と同径太さの円環状の外輪と、該外輪の外方で前記車軸に固定された前記外輪より小径の円環状の増締ハンドルとからなり、前記間接板の円周面に同心円状に一列等間隔で嵌合孔を多数設けると共に、前記円盤基部の円形凹部の外側面には、前記間接板の円周面に同心状に一列等間隔で多数設けた嵌合孔と一致する位置にラッチノブを設け、該ラッチノブはラッチ円筒体に内蔵された圧縮バネと前記ラッチ円筒体に嵌合するキャップの裏面に固定されたピンとからなり、前記ピンを前記圧縮バネの中央を貫通させ、常に前記ピンを外側方向へ弾機させてなるものである。
また、前記車軸は、引出し側端部の径を小径として全体として緩やかな傾斜をなした円筒体となしたものである。
【考案の効果】
【０００６】
本考案のホース巻取り装置によれば、車軸と外輪とはラッチノブにより一体回転と別々の回転を行うことができるので、排水ホースを巻ながら緩んだ排水ホースを増締ハンドルで増締めながら巻いて行くことができる。
さらに、本考案のホース巻取り装置によれば、円盤基部を外すことで巻き込んだ排水ホースを素早く取り外すことができると共に、車軸の引出し側の径を小さくしているので、巻き込んだ排水ホースを取外す時に外し易いようになっている。
しかも、排水ホースは１本５０ｍを連結して合計１０本で排水作業を行うので、本考案のホース巻取り装置によれば、排水ホース巻取り作業を手動で行うより労力が１／１０で行うことができ、時間短縮ができる。
したがって、水災害時に、排水ホース巻取り作業時間を短縮できるので、短時間の現場移動が可能となる。
【考案を実施するための最良の形態】
【０００７】
本考案のホース巻取り装置は、排水ホース幅長さの小径の円筒体の車軸と、該車軸の両端に接続された前記車軸より大径の円板体の間接板と、該間接板が回転可能に嵌合する円形凹部を形成した円盤基部と、該円盤基部の外周縁から略等間隔に多数放射状に延びる案内ガイド棒と、該案内ガイド棒の先端部を相互連結した前記案内ガイド棒と同径太さの円環状の外輪と、該外輪の外方で前記車軸に固定された前記外輪より小径の円環状の増締ハンドルとからなる。
また、本考案のホース巻取装置は、前記間接板の円周面に同心円状に一列等間隔で嵌合孔を多数設けると共に、前記円盤基部の円形凹部の外側面には、前記間接板の円周面に同心状に一列等間隔で多数設けた嵌合孔と一致する位置にラッチノブを設け、該ラッチノブはラッチ円筒体に内蔵された圧縮バネと前記ラッチ円筒体に嵌合するキャップの裏面に固定されたピンとからなり、前記ピンを前記圧縮バネの中央を貫通させ、常に前記ピンを外側方向へ弾機させてなる。
また、前記車軸は、引出し側端部の径を小径として全体として緩やかな傾斜をなした円筒体となした。
【実施例】
【０００８】
以下、本考案の一実施例を図面に基づいて説明すると、
本考案のホース巻取り装置は、図１の正面図に示すように、排水ホース幅長さの小径の円筒体の車軸１と、該車軸１の両端に接続された前記車軸１より大径の円板体の間接板２と、該間接板２が回転可能に嵌合する円形凹部を形成した円盤基部３と、該円盤基部３の外周縁から略等間隔に多数放射状に延びる案内ガイド棒４と、該案内ガイド棒４の先端部を相互連結した前記案内ガイド棒４と同径太さの円環状の外輪５と、該外輪５の外方で前記車軸１に固定された前記外輪５より小径の円環状の増締ハンドル６とから構成される。
図２の要部拡大正面図に示すように、前記車軸１は、引出し側端部（図２では左側）の径を小径として全体として緩やかな傾斜をなした円筒体とし、前記車軸１の両端部開口を円板体の閉塞板７で塞ぎ、該閉塞板７に間接板２を一体に締付ボルトで連結固定する。
さらに、前記閉塞板７及び前記間接板２の中央に貫通孔８を形成して前記貫通孔８に貫通ボルト９を螺合して突出させ、前記貫通ボルト９を前記車軸１及び間接板２の回転軸とする。
図３に示すように、前記間接板２の円周面に同心円状に一列等間隔で嵌合孔１０を多数設け、図２に示すように引出し側端部の反対側（図２では右側）には前記車軸１と平行に掛渡棒１１を前記間接板２の円周面に設ける。
【０００９】
図２に示すように、前記円盤基部３の中央には、前記貫通ボルト９が貫通する貫通孔８を形成し、前記円盤基部３外側の前記貫通孔８の周りには前記貫通ボルト９を軸支する軸受１２を締付ボルトで固定する。
したがって、前記車軸１及び間接板２は前記円盤基部３の円形凹部周りを、前記円盤基部３の軸受１２に軸支された貫通ボルト９により回転可能に支持される。
そして、前記車軸１から突出した前記貫通ボルト９の引出し側端部の反対側（図２では右側）には図４に示す前記外輪５より小径の前記増締ハンドル６が固定される。
さらに、前記円盤基部３の円形凹部の外側面には、図２に示すように、前記間接板２の円周面に同心状に一列等間隔で多数設けた嵌合孔１０と一致する位置にラッチノブ１３を設け、該ラッチノブ１３はラッチ円筒体１４に内蔵された圧縮バネ１５と前記ラッチ円筒体１４に嵌合するキャップの裏面に固定されたピン１６とからなり、前記ピン１６を前記圧縮バネ１５の中央を貫通させ、常に前記ピン１６を外側方向へ弾機させてなる。
したがって、前記ラッチノブ１３を押して前記嵌合孔１０とピン１６と一致させて固定することにより前記円盤基部３と前記間接板２とを一体に固定し、一方一体状態の前記嵌合孔１０からピン１６を圧縮バネ１５により引き戻すことにより前記円盤基部３と前記間接板２との結合を解き、両者を相互に自由回転させることができる。
なお、前記貫通ボルト９の先端には、図１に示す抜け防止の為に軸受１２より大径のリング状のストッパー１７を螺合固定する。
また、図５に示す前記放射状の案内ガイド棒４は、図１に示すように排水ホースが巻かれる部分、すなわち前記間接板２の延長線上を直線部分１８とし、さらに直線部分１８の先端から外側に広がるように曲げ傾斜した傾斜部分１９を備えたくの字状をなし、前記傾斜部分１９が排水ホースを前記車軸１に巻き取る時の案内ガイドとして機能する。
【００１０】
次に、本考案のホース巻取り装置の作用について、以下図面に基づいて説明する。
本考案のホース巻取り装置は、地面を転がしながら地面に二つ折りした排水ホースを巻き取るものである。
まず、排水ポンプ車において排水作業が終了したら、使用済みの排水ホースを地面に二つ折り状態で並べ、本考案のホース巻き取り装置の掛渡棒１１を前記排水ホースの二つ折り部分の内側に挿入する。
なお、その際、ラッチノブ１３のピン１６は嵌合孔１０と一致しており、円盤基部３と間接板２とは一体に結合されている。
そして、二つ折り部分の挿入が終わったら、本考案のホース巻取り装置の外輪５を排水ホースに沿って排水ホース方向に地面を転がすと、案内ガイド棒４に案内ガイドされながら前記掛渡棒１１と車軸１に跨った状態で排水ホースが巻き取られて行く。
【００１１】
ある程度排水ホースを巻き取ったら、前記ラッチノブ１３を外側に引出してピン１６と嵌合孔１０との結合を解き、円盤基部３と間接板２とは自由回転可能なようにする。
次いで、増締ハンドル６を廻すと、前記外輪５は地面に接地しているので円盤基部３は回転されず、前記間接板２が回転するので掛渡棒１１が回転してし排水ホースを堅く巻き締めすることができる。
このようにして、外輪５を転がしながら排水ホースを巻き取り、適宜途中で排水ホースの締め増しを行いながら、巻き取りを行うことができるので排水ホースを堅く巻き付けを行うことができる。
排水ホースの巻き取りが終了したら、リング状のストッパー１７を外し、引出し側の円盤基部３（一体となっている案内ガイド棒４及び外輪５を含む）を取外して排水ホースを車軸１及び掛渡棒１１から抜き取る。
抜き取った排水ホースは、結束紐等で解けないように結束して排水ポンプ車に積載する。
【図面の簡単な説明】
【００１２】
【図１】本考案のホース巻取り装置の正面図である。
【図２】本考案のホース巻取り装置の要部拡大正面図である。
【図３】本考案の間接板２の正面図である。
【図４】本考案のホース巻取り装置の右側面図である。
【図５】本考案のホース巻取り装置の左側面図である。
【符号の説明】
【００１３】
１  車軸
２  間接板
３  円盤基部
４  案内ガイド棒
５  外輪
６  増締ハンドル
７  閉塞板
８  貫通孔
９  貫通ボルト
１０  嵌合孔
１１  掛渡棒
１２  軸受
１３  ラッチノブ
１４  ラッチ円筒体
１５  圧縮バネ
１６  ピン
１７  ストッパー
１８  直線部分
１９  傾斜部分
【図１】
0003106721.tif 000003
【図２】
0003106721.tif 000004
【図３】
0003106721.tif 000005
【図４】
0003106721.tif 000006
【図５】
0003106721.tif 000007